(57)【要約】【課題】見栄えを良くすることができるようにする。【解決手段】被取付部３の手前側面４から下面１２にかけて形成された凹部２１に設けられたシガーライター取付孔９にシガーライターを取付けるシガーライター取付部構造であって、凹部２１をカバーするカバー部材２３を下開きするように支持軸２４を用いて支持し、支持軸２４は、シガーライター取付孔９の下縁２５よりも上方に位置させ、カバー部材２３は、奥側へ突出した左右のヒンジアーム部２６と、両ヒンジアーム部２６の底辺間を連結する底壁部２７と、底壁部２７の奥部に形成した切欠部２８とを備え、更に、カバー部材２３の回動を保持する保持手段３１，３２を被取付部３およびカバー部材２３間に備えるようにしている。【選択図】　　　　図１
2004098979.tif 000002
【特許請求の範囲】
【請求項１】
被取付部の手前側面から下面にかけて形成された凹部に設けられたシガーライター取付孔にシガーライターを取付けるシガーライター取付部構造であって、
前記凹部をカバーするカバー部材を下開きするように支持軸を用いて支持し、
該支持軸は、前記シガーライター取付孔の下縁よりも上方に位置させ、
前記カバー部材は、奥側へ突出した左右のヒンジアーム部と、両ヒンジアーム部の底辺間を連結する底壁部と、該底壁部の奥部に形成した切欠部とを備え、
更に、カバー部材の回動を保持する保持手段を被取付部およびカバー部材間に備えたことを特徴とするシガーライター取付部構造。
【発明の詳細な説明】
【０００１】
【発明の属する技術分野】
この発明は、シガーライター取付部構造に関するものである。
【０００２】
【従来の技術】
車両には車室内にシガーライターが取付けられている。
【０００３】
従来のシガーライター取付部構造には、特開２０００−３５５２５０号公報等に記載されているようなものがある。
【０００４】
【発明が解決しようとする課題】
しかしながら、このような従来のシガーライター取付部構造では、シガーライターが露出したままとなっているので、見栄えが悪いという問題があった。
【０００５】
そこで、本発明の目的は、上記の問題点を解消し、見栄えを良くすることができるシガーライター取付部構造を提供することにある。
【０００６】
【課題を解決するための手段】
上記課題を解決するために、請求項１に記載された発明では、被取付部の手前側面から下面にかけて形成された凹部に設けられたシガーライター取付孔にシガーライターを取付けるシガーライター取付部構造であって、前記凹部をカバーするカバー部材を下開きするように支持軸を用いて支持し、該支持軸は、前記シガーライター取付孔の下縁よりも上方に位置させ、前記カバー部材は、奥側へ突出した左右のヒンジアーム部と、両ヒンジアーム部の底辺間を連結する底壁部と、該底壁部の奥部に形成した切欠部とを備え、更に、カバー部材の回動を保持する保持手段を被取付部およびカバー部材間に備えたシガーライター取付部構造を特徴としている。
【０００７】
このように構成された請求項１にかかる発明によれば、前記支持軸をシガーライター取付孔の下縁よりも上方に位置させることにより、カバー部材の開時にカバー部材の下方への突出量を抑えられると共に、カバー部材の底壁部の奥部に形成した切欠部により、シガーライターを逃げることができる。また、シガーライター取付孔に設けられたシガーライターソケットに電源ソケットを差込んだ時には、カバー部材を閉じても切欠部からハーネスを繰出すことができるので、見栄えを良くすることができる。更に、被取付部およびカバー部材間に備えた保持手段により、カバー部材の回動を保持することができる。
【０００８】
【発明の実施の形態】
以下、本発明を具体化した実施の形態について、図示例と共に説明する。
【０００９】
図１〜図６は、この発明の実施の形態を示すものである。
【００１０】
まず、全体的な構成を説明すると、車両には車室内にインストルメントパネルが設けられている。このインストルメントパネルにはセンタークラスター３が設けられている。センタークラスター３はインストルメントパネルの車幅方向２（左右方向）の略中央部に設けられている。
【００１１】
このセンタークラスター３は、手前側面４を有している。この手前側面４は乗員に対向する面である。この手前側面４には複数の開口部５が形成されている。この開口部５は、例えば、上方から順に、オーディオ取付孔６、左右のベンチレータグリル取付孔７、エアコン操作パネル取付孔８、シガーライター取付孔９、灰皿取付孔１０などとなっている。そして、この手前側面４の周縁部に対し、奥行の短い、上面１１、下面１２、両側面１３が略車両前後方向１４に延設されている。このうち、上面１１と下面１２とは、略水平方向へ延設される。
【００１２】
上記した構成に対しこの発明では、センタークラスター３を被取付部（以下、被取付部３という）として、被取付部３の手前側面４から下面１２にかけて凹部２１が形成され、この凹部２１にシガーライター取付孔９が設けられている。シガーライター取付孔９は凹部２１の奥壁２２に形成されている。このシガーライター取付孔９に図示しないシガーライターソケットを取付け、このシガーライターソケットにシガーライターを取付けるようにしている。
【００１３】
そして、上記の凹部２１をカバーするカバー部材２３を下開きするように支持軸２４を用いて支持する。
【００１４】
この支持軸２４は、シガーライター取付孔９の下縁２５よりも上方に位置させるようにする。この支持軸２４は、車幅方向２に延設されている。
【００１５】
そして、カバー部材２３は、奥側へ突出した左右のヒンジアーム部２６と、両ヒンジアーム部２６の底辺間を連結する底壁部２７と、底壁部２７の奥部に形成した切欠部２８とを備えている。左右のヒンジアーム部２６はその下縁が、被取付部３の下面１２から手前側面４にかけての形状に略沿った形状を呈している。そして、底壁部２７も被取付部３の下面１２から手前側面４にかけての形状に略沿った形状を呈している。そして、底壁部２７の手前側部分には操作部２７ａが突出形成されている。左右のヒンジアーム部２６は、その奥部に、支持軸２４に対して着脱可能なヒンジ部２９を備えている。支持軸２４に対して着脱可能とするために、ヒンジ部２９は略フック形状をしている。
【００１６】
ここで、支持軸２４は凹部２１の側に設けられ、ヒンジ部２９はカバー部材２３の側に設けられているが、反対であっても良いことはいうまでもない。
【００１７】
更に、閉止時におけるカバー部材２３と被取付部３とのロックは、カバー部材２３の左右で行うようになっている。即ち、例えば、凹部２１の両側壁３０に係止用凸部３１（保持手段）を設ける。この係止用凸部３１は、支持軸２４よりも僅かに上方の位置に設けられている。また、この係止用凸部３１は、車両前後方向１４に延設される突条とされている。そして、カバー部材２３の左右のヒンジアーム部２６に係止用爪部３２（保持手段）を設ける。係止用爪部３２は、カバー部材２３の左右のヒンジアーム部２６の上縁部近傍に設けられる。また、係止用爪部３２は、カバー部材２３の左右のヒンジアーム部２６の手前寄りの位置に設けられる。
【００１８】
この係止用爪部３２は、図６に示すような、正面視下向きコ字状の金属板バネ３３の一方の腕部に設けられている。この金属板バネ３３は、左右のヒンジアーム部２６の内面側に設けられた、バネ収容部３４に収容されている。また、係止用爪部３２は、左右のヒンジアーム部２６のバネ収容部３４の位置に設けられた開口部３５から外方へ突出されている。
【００１９】
次に、この実施の形態の作用について説明する。
【００２０】
シガーライター取付孔９に設けられたシガーライターソケットにシガーライターが取付けられた状態で、シガーライター不使用時には、支持軸２４を中心としてカバー部材２３を上方へ回動し、係止用爪部３２を係止用凸部３１に係止させることにより、凹部２１内カバーし、シガーライターを隠すことができる。反対にシガーライター使用時には、上記の状態から、係止用爪部３２と係止用凸部３１との係止を解除し、支持軸２４を中心としてカバー部材２３を下方へ回動することにより、シガーライターを露出させることができる。
【００２１】
カバー部材２３は、着脱可能とされているので、カバー部材２３の開閉が煩わしい場合には取外しておくことができる。
【００２２】
そして、シガーライターソケットに電源ソケットを差込んで使用する際には、カバー部材２３を一時的に取外し、シガーライターソケットに電源ソケットを差込み、カバー部材２３を取付け、カバー部材２３を閉じる。これにより、電源ソケットを隠すことができる。
【００２３】
このように、支持軸２４をシガーライター取付孔９の下縁２５よりも上方に位置させることにより、カバー部材２３の開時にカバー部材２３の下方への突出量を抑えられると共に、カバー部材２３の底壁部２７の奥部に形成した切欠部２８により、シガーライターを逃げることができる。また、シガーライター取付孔９に設けられたシガーライターソケットに電源ソケットを差込んだ時には、カバー部材２３を閉じても切欠部２８からハーネスを繰出すことができるので、見栄えを良くすることができる。
【００２４】
更に、被取付部３およびカバー部材２３間に備えた保持手段３１，３２により、カバー部材２３の回動を保持することができる。
【００２５】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００２６】
例えば、上記実施の形態では、被取付部３とカバー部材２３との間の保持手段として、金属板バネを用いた係止用爪部３２と係止用凸部３１とを示したが、この発明はこれに限定されるものではなく、樹脂爪を用いた弾性係合や磁石等を用いた保持手段としても良い。
【００２７】
【発明の効果】
以上説明してきたように、請求項１の発明によれば、支持軸をシガーライター取付孔の下縁よりも上方に位置させることにより、カバー部材の開時にカバー部材の下方への突出量を抑えられると共に、カバー部材の底壁部の奥部に形成した切欠部により、シガーライターを逃げることができる。また、シガーライター取付孔に設けられたシガーライターソケットに電源ソケットを差込んだ時には、カバー部材を閉じても切欠部からハーネスを繰出すことができるので、見栄えを良くすることができる。更に、被取付部およびカバー部材間に備えた保持手段により、カバー部材の回動を保持することができる、という実用上有益な効果を発揮し得る。
【図面の簡単な説明】
【図１】本発明の実施の形態にかかる被取付部の全体正面図である。
【図２】図１の側面図である。
【図３】図１のカバー部材を開いた状態の部分拡大正面図である。
【図４】図３の側面図である。
【図５】カバー部材の斜視図である。
【図６】金属板バネの斜視図である。
【符号の説明】
３　　被取付部
４　　手前側面
９　　シガーライター取付孔
１２　下面
２１　凹部
２３　カバー部材
２４　支持軸
２５　下縁
２６　ヒンジアーム部
２７　底壁部
２８　切欠部
３１　係止用凸部（保持手段）
３２　係止用爪部（保持手段）
【図１】
2004098979.tif 000003
【図２】
2004098979.tif 000004
【図３】
2004098979.tif 000005
【図４】
2004098979.tif 000006
【図５】
2004098979.tif 000007
【図６】
2004098979.tif 000008